(57)【要約】【課題】播種作業のみならず収穫作業の労力も軽減化することができる作物の栽培・収穫方法を提供する。【解決手段】非分解性の可撓性材料で長尺帯状に形成され長手方向に沿って等間隔に複数の孔１８が穿設されその孔穿設部分に種子１６を保持したテープ本体１２を有する作物栽培用テープ１０を、土壌表面に沿わせ平坦な状態にして土壌中に浅く埋め、種子から発芽・発根させる。テープ本体１２の孔１８から地中に向かって根を、地上に向かって葉茎部を成長させ、作物の生育後に、テープ本体の一部を把持しテープ本体を土壌中から引っ張り上げて、テープ本体と一緒に複数の作物を土壌中から引き抜いて収穫する。【選択図】図１
2009261324.tif 000002
【特許請求の範囲】
【請求項１】
非分解性の可撓性材料で長尺帯状に形成され長手方向に沿って等間隔に複数の孔が穿設されてその各孔の穿設部分にそれぞれ種子を保持したテープを、圃場の土壌表面に沿わせ平坦な状態にして土壌中に浅く埋めもしくは土壌上に敷設し、種子から発芽・発根させて、前記テープの孔から地中に向かって根を、地上に向かって葉茎部を成長させ、作物が生育した後に、前記テープの一部を把持してテープを土壌中から引っ張り上げることにより、テープと一緒に複数の作物を土壌中から引き抜いて収穫することを特徴とする作物の栽培・収穫方法。
【請求項２】
長手方向に沿って等間隔に複数の種子を保持した作物栽培用テープにおいて、
非分解性の可撓性材料で長尺帯状に形成され、種子を収容する種子収容部が長手方向に沿って等間隔に複数形設されるとともに、前記各種子収容部にそれぞれ孔が穿設されたテープ本体と、
生分解性または水溶性もしくは水分解性を有する材料で形成され、前記テープ本体の下面側に接着されて、前記孔から種子が脱落しないように孔を塞ぐフィルム材と、
前記テープ本体の上面側に接着されて、前記種子収容部から種子が移動しないようにするカバーシートと、
から構成されたことを特徴とする作物栽培用テープ。
【請求項３】
前記カバーシートは、生分解性または水溶性もしくは水分解性を有するフィルム材料で形成された請求項２に記載の作物栽培用テープ。
【請求項４】
前記カバーシートが前記テープ本体の上面に剥離可能に接着された請求項２に記載の作物栽培用テープ。
【請求項５】
長手方向に沿って等間隔に複数の種子を保持した作物栽培用テープにおいて、
非分解性の可撓性材料で長尺帯状に形成され、内側面が上向きの凹状に形成されて種子を収容する種子収容部が長手方向に沿って等間隔に複数形設されるとともに、前記各種子収容部にそれぞれ孔が穿設されたテープ本体と、
根の伸長を許容する空隙を有する材料から成り、前記テープ本体の各種子収容部内にそれぞれ充填され、種子を内包して保持する充填部材と、
を備えて構成されたことを特徴とする作物栽培用テープ。
【請求項６】
前記充填部材はロックウールである請求項５に記載の作物栽培用テープ。
【請求項７】
生分解性または水溶性もしくは水分解性を有する材料で形成され、前記テープ本体の下面側に接着されて、前記種子収容部から前記充填部材が種子と共に脱落しないように種子収容部の開口面を塞ぐカバーシートをさらに備えた請求項５または請求項６に記載の作物栽培用テープ。
【発明の詳細な説明】
【技術分野】
【０００１】
この発明は、野菜等の作物の播種作業や収穫作業を省力化するための作物の栽培・収穫方法、ならびに、その栽培・収穫方法を行うときに使用される作物栽培用テープに関する。
【背景技術】
【０００２】
圃場における播種作業は、一般に、地表に浅く掘られた穴内に所定の間隔を設けて人の手で種子を播いていく方法によっているが、その労力の軽減化を図るために、生分解性または水溶性もしくは水分解性を有する可撓性材料で長尺帯状に形成されその長手方向に沿って等間隔で多数の種子を保持した播種用テープを使用し、この播種用テープを土壌中に埋めていくといった播種方法も、種々提案され一部で実施されている（例えば、特許文献１参照。）。一方、生育した野菜を収穫する場合、収穫機を使用して根菜作物を収穫するといったことも行われているが（例えば、特許文献２参照。）、通常は、人の手で１本１本、野菜を土壌中から根ごと引き抜いていく方法によっている。
【特許文献１】特開２００７−２２２０３４号公報（第３−４頁、図１−図４）
【特許文献２】特開２００１−３４６４２６号公報（第３−４頁、図１−図３）
【発明の開示】
【発明が解決しようとする課題】
【０００３】
従来の収穫作業は、土壌中に根を残さないように人の手で１本１本、野菜を土壌中から引き抜いていくといった方法であるので、手間と時間がかかった。また、特許文献１に記載された播種用テープを使用すると、播種作業の労力を軽減することはできるが、生育した野菜の収穫作業は、やはり人の手で１本１本、野菜を土壌中から引き抜いていくといった方法となり、収穫作業の労力は従前と変わらない。
【０００４】
この発明は、以上のような事情に鑑みてなされたものであり、播種作業のみならず収穫作業の労力も軽減化することができる作物の栽培・収穫方法を提供すること、ならびに、その栽培・収穫方法を行うために使用される作物栽培用テープを提供することを目的とする。
【課題を解決するための手段】
【０００５】
請求項１に係る発明は、作物の栽培し収穫する方法において、非分解性の可撓性材料で長尺帯状に形成され長手方向に沿って等間隔に複数の孔が穿設されてその各孔の穿設部分にそれぞれ種子を保持したテープを、圃場の土壌表面に沿わせ平坦な状態にして土壌中に浅く埋めもしくは土壌上に敷設し、種子から発芽・発根させて、前記テープの孔から地中に向かって根を、地上に向かって葉茎部を成長させ、作物が生育した後に、前記テープの一部を把持してテープを土壌中から引っ張り上げることにより、テープと一緒に複数の作物を土壌中から引き抜いて収穫することを特徴とする。
【０００６】
請求項２に係る発明は、長手方向に沿って等間隔に複数の種子を保持した作物栽培用テープにおいて、非分解性の可撓性材料で長尺帯状に形成され、種子を収容する種子収容部が長手方向に沿って等間隔に複数形設されるとともに、前記各種子収容部にそれぞれ孔が穿設されたテープ本体と、生分解性または水溶性もしくは水分解性を有する材料で形成され、前記テープ本体の下面側に接着されて、前記孔から種子が脱落しないように孔を塞ぐフィルム材と、前記テープ本体の上面側に接着されて、前記種子収容部から種子が移動しないようにするカバーシートと、から構成されたことを特徴とする。
【０００７】
請求項３に係る発明は、請求項２に記載の作物栽培用テープにおいて、カバーシートを、生分解性または水溶性もしくは水分解性を有するフィルム材料で形成したことを特徴とする。
【０００８】
請求項４に係る発明は、請求項２に記載の作物栽培用テープにおいて、カバーシートをテープ本体の上面に剥離可能に接着したことを特徴とする。
【０００９】
請求項５に係る発明は、長手方向に沿って等間隔に複数の種子を保持した作物栽培用テープにおいて、非分解性の可撓性材料で長尺帯状に形成され、内側面が上向きの凹状に形成されて種子を収容する種子収容部が長手方向に沿って等間隔に複数形設されるとともに、前記各種子収容部にそれぞれ孔が穿設されたテープ本体と、根の伸長を許容する空隙を有する材料から成り、前記テープ本体の各種子収容部内にそれぞれ充填され、種子を内包して保持する充填部材と、を備えて構成されたことを特徴とする。
【００１０】
請求項６に係る発明は、請求項５に記載の作物栽培用テープにおいて、充填部材がロックウールであることを特徴とする。
【００１１】
請求項７に係る発明は、請求項５または請求項６に記載の作物栽培用テープにおいて、生分解性または水溶性もしくは水分解性を有する材料で形成され、前記テープ本体の下面側に接着されて、前記種子収容部から前記充填部材が種子と共に脱落しないように種子収容部の開口面を塞ぐカバーシートをさらに備えたことを特徴とする。
【発明の効果】
【００１２】
請求項１に係る発明の作物の栽培・収穫方法によると、播種作業は、複数の種子を保持したテープを圃場の土壌表面に沿わせ平坦な状態にして土壌中に浅く埋めもしくは土壌上に敷設するだけであるので、その労力を軽減することができる。また、収穫作業は、テープの一部を把持してテープを土壌中から引っ張り上げるだけで、テープと一緒に複数の作物が土壌中から順次引き抜かれていくので、人の手で１本１本、作物を土壌中から引き抜いていく従来の方法に比べて、その労力と時間を大幅に軽減することができる。
【００１３】
また、テープは、土壌中に浅く埋められもしくは土壌上に敷設され、分解したり溶解したりすることがないので、雑草の根の成長がテープによって阻止される。このため、作物が生育する過程で作物の周囲に雑草が生えることを防止することができる。さらに、テープ上には土が薄く掛かっているだけであり、あるいは、テープ上には土が掛かかっていないので、テープが無くて単に作物が土壌中に植わっている場合に比べて、雨水の跳ね返りなどによって葉茎部分に付着する土の量が少なくなりもしくは葉茎部分に土がほとんど付着しなくなる。このため、収穫後における出荷に際して手間が低減される。
【００１４】
請求項２に係る発明の作物栽培用テープは、テープ本体の複数の種子収容部に種子を収容させ、圃場の土壌表面に沿わせ平坦な状態にして土壌中に浅く埋めるだけで、直線状に等間隔で種播きを行うことができ、播種作業の労力が軽減される。そして、種子収容部の孔から種子が脱落しないように孔を塞いでいるフィルム材は、土壌中で微生物によって分解されまたは水で溶解しもしくは分解されるので、作物の根は種子収容部の孔を通り地中に向かって伸長していく。一方、テープ本体は、非分解性の可撓性材料で長尺帯状に形成されているので、生育した作物を収穫するときは、テープ本体の一部を把持してテープ本体を土壌中から引っ張り上げるだけで、テープ本体と一緒に複数の作物を土壌中から順次引き抜いていくことができ、収穫作業の労力が大幅に軽減される。
【００１５】
また、テープ本体は、土壌中に浅く埋められ、分解したり溶解したりすることがないので、雑草の根の成長がテープ本体によって阻止される。このため、作物が生育する過程で作物の周囲に雑草が生えることを防止することができる。さらに、テープ本体上には土が薄く掛かっているだけであるので、雨水の跳ね返りなどによって葉茎部分に付着する土の量が少なくなる。このため、収穫後における出荷に際して手間が低減される。
【００１６】
請求項３に係る発明の作物栽培用テープでは、テープ本体の上面側にカバーシートが接着されたままで播種を行っても、カバーシートは、土壌中で微生物によって分解されまたは水で溶解しもしくは分解される。したがって、より一層、播種作業の手間が省かれる。
【００１７】
請求項４に係る発明の作物栽培用テープでは、播種に際してカバーシートをテープ本体の上面から剥離しておくことにより、テープ本体の種子収容部に収容された種子からの発芽および葉茎部の成長が支障無く行われる。
【００１８】
請求項５に係る発明の作物栽培用テープは、テープ本体の複数の種子収容部に種子を収容させ、圃場の土壌表面に沿わせ平坦な状態にして土壌上に敷設するだけで、直線状に等間隔で種播きを行うことができ、播種作業の労力が軽減される。そして、作物の根は、充填部材の空隙を通り抜け種子収容部から地中に向かって伸長していき、一方、葉茎部は、種子収容部の孔を通り地上に向かって成長していく。また、テープ本体は、非分解性の可撓性材料で長尺帯状に形成されているので、生育した作物を収穫するときは、テープ本体の一部を把持してテープ本体を土壌中から引っ張り上げるだけで、テープ本体と一緒に複数の作物を土壌中から順次引き抜いていくことができ、収穫作業の労力が大幅に軽減される。
【００１９】
また、テープ本体は、土壌上に敷設され、分解したり溶解したりすることがないので、雑草の繁殖がテープ本体によって阻止される。このため、作物が生育する過程で作物の周囲に雑草が生えることを防止することができる。さらに、テープ本体の種子収容部の外側面には土がほとんど掛からないので、雨水の跳ね返りなどによって葉茎部分に土が付着することはほとんどない。このため、収穫後における出荷に際して手間が大幅に低減される。
【００２０】
請求項６に係る発明の作物栽培用テープでは、作物の根がロックウールの空隙を通り種子収容部から地中に向かって良好に伸長していく。
【００２１】
請求項７に係る発明の作物栽培用テープでは、カバーシートにより、種子収容部から充填部材が種子と共に脱落することが防止される。そして、カバーシートは、土壌中で微生物によって分解されまたは水で溶解しもしくは分解されるので、特に手間を掛けなくても、作物の根は種子収容部から地中に向かって伸長していく。
【発明を実施するための最良の形態】
【００２２】
以下、この発明の最良の実施形態について図面を参照しながら説明する。
図１は、この発明に係る作物の栽培・収穫方法において使用される作物栽培用テープの構成の１例を示し、その一部分を縦断面で示す図である。
【００２３】
この作物栽培用テープ１０を構成するテープ本体１２は、プラスチック等の非分解性の可撓性材料で長尺帯状に形成され、その長手方向に沿って等間隔に、複数の凹部からなる種子収容部１４が形設されて、その各種子収容部１４に一粒ずつあるいは複数粒の種子１６がそれぞれ収容されている。種子収容部１４の底部には、孔１８が穿設されている。孔１８の大きさは、生育後における作物の茎基部と根基部のサイズに合わせて、作物の生育が阻害されずにかつ作物が孔１８から抜け落ちることがない程度の大きさとする。種子収容部１４の外底面には、フィルム材２０が接着されて、孔１８から種子１６が脱落しないようにフィルム材２０で孔１８が塞がれている。フィルム材２０は、生分解性または水溶性もしくは水分解性を有する材料、例えば水溶紙、ポリビニルアルコール等の水溶性樹脂、セルロースやセルロース誘導体、キチン、キトサン等の天然多糖類、生分解性脂肪族ポリエステル等の生分解性樹脂などで形成されている。テープ本体１２の上面側にはカバーシート２２が接着され、種子収容部１４内から種子１６が移動しないようにされている。カバーシート２２は、フィルム材２０と同様に、生分解性または水溶性もしくは水分解性を有するフィルム材料で形成されている。この作物栽培用テープ１０は、例えばロール状に巻かれて保管され運搬される。
【００２４】
作物栽培用テープ１０を用いて圃場で播種作業を行うときは、地表に浅く直線状の溝状穴を掘り、ロール状に巻かれたテープ１０を順次繰り出しながら、帯状のテープ１０を溝状穴の底に配置した後、テープ１０上に土をかけて、図２に断面図を示すように、テープ１０を土壌２４の表面に沿わせ平坦な状態にして土壌２４中に浅く埋める。播種後に土壌２４中において、種子収容部１４の孔１８を塞いでいるフィルム材２０およびテープ本体１２の上面側を被覆しているカバーシート２２が、微生物によって分解させられまたは水で溶解しもしくは分解される。そして、種子１６から発芽・発根し、図３に部分断面図を示すように、野菜等の作物２６の根は種子収容部１４の孔１８を通り地中に向かって伸長していき、葉茎部は地上に向かって成長していく。
【００２５】
作物２６が生育していく過程で、テープ本体１２は、土壌２４中に浅く埋まった状態であり、分解したり溶解したりすることがない。このため、図４に示すように、テープ本体１２が残存した作物２６の周囲では、雑草の根が地中に向かって伸長するのがテープ本体１２によって阻止され、作物２６の周囲には雑草が生えない。したがって、作物と雑草との間での自然界における生育競争が起こらないので、作物の生育状態にばらつきが生じることがない。このように作物の生育状態が一様に揃うので、同時期に作物を収穫することが可能となる。また、テープ本体１２上には土が薄く掛かっているだけであるので、雨水の跳ね返りなどによって葉茎部分に付着する土の量が少なくなり、このため、収穫後における出荷に際しての手間が低減される。
【００２６】
生育した作物２６を収穫するときは、テープ本体１２の一部を手で把持し、図５に示すように、テープ本体１２を土壌２４中から引っ張り上げるようにする。これにより、テープ本体１２と一緒に複数の作物２６が土壌２４中から順次引き抜かれていく。このとき、作物２６は根ごと土壌２４中から引き抜かれるので、土壌中に根が残って土壌の病気の原因になる心配も無い。なお、専用の収穫装置を開発して、その収穫装置によりテープ本体１２を機械的に巻き取りながら作物２６を収穫するようにしてもよい。
【００２７】
図６は、この発明の別の実施形態を示し、作物栽培用テープの一部を示す縦断面図である。
この作物栽培用テープ２８を構成するテープ本体３０は、図１に示したテープ１０と同様に、プラスチック等の非分解性の可撓性材料で長尺帯状に形成されている。そして、この作物栽培用テープ２８では、テープ本体３０が単なる扁平状であって、その長手方向に沿って等間隔に複数の孔３４が穿設されており、その孔３４の形成部分が種子１６を収容する種子収容部３２となる。テープ本体３０の下面側には、テープ本体３０の複数の孔３４に対応するように複数の下向き凹部３８が形設された閉塞シート３６が接着され、テープ本体３０の上面側には、テープ本体３０の複数の孔３４に対応するように複数の上向き凹部４２が形設されたカバーシート４０が接着されている。閉塞シート３６およびカバーシート４０はいずれも、生分解性または水溶性もしくは水分解性を有する材料、例えば水溶紙、水溶性樹脂、天然多糖類、生分解性樹脂などからなるフィルム材料で形成されている。
【００２８】
この作物栽培用テープ２８を用いた播種作業も、図１に示したテープ１０と同様に行われるが、このテープ２８では、播種後に土壌中において、閉塞シート３６およびカバーシート４０が微生物によって分解させられまたは水で溶解しもしくは分解される。そして、種子１６から発芽・発根し、作物の根が孔３４から地中に向かって伸長していき、葉茎部が地上に向かって成長していく。一方、作物の生育過程でテープ本体３０は、土壌中で分解したり溶解したりすることなくそのまま残存する。生育した作物の収穫作業は、図１に示したテープ１０と同様に、テープ本体３０の一部を手で把持してテープ本体３０を土壌中から引っ張り上げるようにする。これにより、テープ本体３０と一緒に複数の作物が土壌中から根ごと順次引き抜かれていく。
【００２９】
次に、図７は、この発明のさらに別の実施形態を示し、作物栽培用テープの一部を示す縦断面図である。この作物栽培用テープ４４を構成するテープ本体の構成は、図１に示したテープ１０と同じであり、各部材・各部に図１中で使用した符号と同一符号を付してその説明を省略する。
【００３０】
図７に示した作物栽培用テープ４４では、テープ本体１２の上面側を被覆して種子収容部１４内から種子１６が移動しないようにするカバーシート４６が、分解性または水溶性を有しないフィルム材料、例えば透明あるいは半透明の合成樹脂フィルムで形成されており、テープ本体１２の上面に熱接着、粘着剤等により剥離可能に接着されている。したがって、この作物栽培用テープ４４を用いて播種作業を行うときは、図８に示すように、播種に際してカバーシート４６をテープ本体１２の上面から剥離しておく必要がある。これ以外の作業方法や作用効果は、図１に示した作物栽培用テープ１０と同様である。
【００３１】
なお、図９に断面図を示すように、テープ本体１２の種子収容部１４内に、種子１６と共に固形養土４８などを収容するようにしてもよい。
【００３２】
次に、図１０および図１１は、この発明に係る作物の栽培・収穫方法において使用される作物栽培用テープの、上記したものとは異なる構成例を示し、図１０は、その一部を示す斜視図であり、図１１は、その一部を示す縦断面図である。
【００３３】
この作物栽培用テープ５０を構成するテープ本体５２は、プラスチック等の非分解性の可撓性材料で長尺帯状に形成され、その長手方向に沿って等間隔に、上面側を上向きに膨出させて複数の凸部５４が形成されている。そして、凸部５４の内側面が上向きに凹状となっていて、その凹部が種子収容部５６を構成する。また、各凸部５４の中央部に孔５８がそれぞれ穿設されている。種子収容部５６内には、根の伸長を許容する空隙を有する材料で形成された充填部材、例えばロックウール６０が充填されており、そのロックウール６０に一粒ずつあるいは複数粒の種子１６が内包されるように保持されている。
【００３４】
図１０および図１１に示した作物栽培用テープ５０を用いて播種作業を行うときは、テープ５０を土壌２４の表面に沿わせ平坦な状態にして土壌２４上に敷設するだけでよい。種子１６から発芽・発根すると、図１２に部分断面図を示すように、作物２６の根は、ロックウール６０の空隙を通り抜け、種子収容部５６をなす凹部の開口面から地中に向かって伸長していく。一方、作物２６の葉茎部は、凸部５４の孔５８から地上に向かって成長していく。
【００３５】
作物２６が生育していく過程で、テープ本体５２は土壌２４の表面を覆った状態であり、分解したり溶解したりすることがない。このため、土壌２４表面がテープ本体５２で覆われている作物２６の周囲には雑草が生えない。また、テープ本体５２の凸部５４上には土がほとんど掛からないので、雨水の跳ね返りなどによって葉茎部分に土が付着することはほとんどない。このため、収穫後における出荷に際し、作物２６の葉茎部分から土を振るい落とす手間が省ける。生育した作物２６を収穫するときは、図１に示した作物栽培用テープ１０を用いたときと同様に、テープ本体５２の一部を手で把持し、テープ本体５２を土壌２４中から引っ張り上げるようにする。これにより、テープ本体５２と一緒に複数の作物２６が根ごと土壌２４中から順次引き抜かれていく。
【００３６】
なお、図１０および図１１に示した作物栽培用テープ５０において、種子収容部５６から充填部材６０が種子１６と共に脱落しないようにするために、生分解性または水溶性もしくは水分解性を有する材料で形成されたカバーシートをテープ本体５２の下面側に接着して、種子収容部５６の開口面をカバーシートで塞ぐようにしてもよい。また、凸部５４の孔５８から種子１６がこぼれ出る心配があるときは、水溶性もしくは水分解性を有する材料からなるフィルム材で孔５８を塞いだり、あるいは、剥離性シートにより孔５８を塞いでおき、播種に際して剥離性シートをテープ本体５２の凸部５４上面から剥離するようにしたりしてもよい。
【図面の簡単な説明】
【００３７】
【図１】この発明に係る作物の栽培・収穫方法において使用される作物栽培用テープの構成の１例を示す部分縦断面図である。
【図２】図１に示した作物栽培用テープを用いた播種作業を説明するための断面図である。
【図３】図１に示した作物栽培用テープを用いて作物が栽培されている状態を示す部分縦断面図である。
【図４】図１に示した作物栽培用テープを用いて作物が栽培されている状態を示す斜視図である。
【図５】図１に示した作物栽培用テープを用いて栽培された作物を収穫する方法を説明するための模式図である。
【図６】この発明に係る作物の栽培・収穫方法において使用される作物栽培用テープの別の構成例を示す部分縦断面図である。
【図７】この発明に係る作物の栽培・収穫方法において使用される作物栽培用テープのさらに別の構成例を示す部分縦断面図である。
【図８】図７に示した作物栽培用テープを用いた播種作業の準備操作を説明するための部分縦断面図である。
【図９】この発明の実施形態の変形例を示し、作物栽培用テープの一部を示す縦断面図である。
【図１０】この発明に係る作物の栽培・収穫方法において使用される作物栽培用テープの、上記したものとは異なる構成例を示す部分斜視図である。
【図１１】図１０に示した作物栽培用テープの部分縦断面図である。
【図１２】図１０および図１１に示した作物栽培用テープを用いて作物が栽培されている状態を示す部分縦断面図である。
【符号の説明】
【００３８】
１０、２８、４４、５０  作物栽培用テープ
１２、３０、５２  テープ本体
１４、３２、５６  種子収容部
１６  種子
１８、３４、５８  孔
２０  フィルム材
２２、４０、４６  カバーシート
２４  土壌
２６  作物
３６  閉塞シート
４８  固形養土
５４  凸部
６０  ロックウール
【図１】
2009261324.tif 000003
【図２】
2009261324.tif 000004
【図３】
2009261324.tif 000005
【図４】
2009261324.tif 000006
【図５】
2009261324.tif 000007
【図６】
2009261324.tif 000008
【図７】
2009261324.tif 000009
【図８】
2009261324.tif 000010
【図９】
2009261324.tif 000011
【図１０】
2009261324.tif 000012
【図１１】
2009261324.tif 000013
【図１２】
2009261324.tif 000014